(57)【要約】【課題】砂塵の激しい地域や多湿環境下においてもマットの目詰りが生じず、塵埃を払拭する機能を長く維持することができ、かつ洗浄も容易にできるようにする。【解決手段】基布２と、この基布２に植え込まれたパイル３より成るマット用パイル材１において、前記基布２は、目開き目形共にほぼ均一なメッシュを有し、このメッシュの単一空間の面積が約１ｍｍ２〜１００ｍｍ２の範囲に形成されている。この基布２に対し、パイル糸３ａをステッチが２〜１０／インチ、ゲージが２〜８／インチとなるように植え込んでマット用パイル材１を形成する。【選択図】図１
2018149247.tif 000002
【特許請求の範囲】
【請求項１】
基布と、この基布に植え込まれたパイルより成るパイル材において、前記基布に、メッシュ数が４／平方インチ〜３００／平方インチの範囲で単一空間の面積が約１ｍｍ２〜１００ｍｍ２の範囲のメッシュが目開き目形共にほぼ均一に形成され、前記パイルのステッチ列は前記メッシュの１〜４メッシュ列だけ間隔をあけて植え込まれていることを特徴とするマット用パイル材。
【請求項２】
前記メッシュの単一空間の面積が約４ｍｍ２〜２５ｍｍ２である請求項１に記載のマット用パイル材。
【請求項３】
前記パイルのパイル糸のステッチは２〜１０／インチ、ゲージは２〜８／インチである請求項１〜２に記載のマット用パイル材。
【請求項４】
前記パイルは複数のパイル糸より成り、基布の裏面において、互に接合されかつ基布に固着されている請求項１〜３のいずれかに記載のマット用パイル材。
【請求項５】
前記基布に合成樹脂が浸透されて弾力性が付与された請求項１〜４のいずれかに記載のマット用パイル材。
【請求項６】
前記基布を形成する経緯糸の交絡部が互に固着されている請求項１〜５のいずれかに記載のマット用パイル材。
【発明の詳細な説明】
【技術分野】
【０００１】
この発明は、家屋の玄関や車輌内などに敷かれるマットに係り、特にこれらのマットに用いられるパイル材に関する。
【背景技術】
【０００２】
例えば砂ぼこりの多い砂丘付近等において、従来から用いられている通常の靴拭きマットを使用した場合、マット表面のパイルやパイルの間隙に砂ぼこりがすぐに堆積して所謂目詰りが生じ、靴拭きマットの用をなさなくなる。このような現象は、パイルの密度を粗くしただけでは、解決することはできない。砂塵はパイルばかりでなくパイルが植え込まれた基布にも付着し堆積するからである。さらに、マットに厚く付着した砂塵を除去するのも容易でない。また、砂塵以外にも、例えば浴室やキッチンなどの多量の湿気や水分にさらされる環境下では、吸水性材料でマットを形成してもすぐに飽和状態になって用をなさなくなる問題がある。
【発明の概要】
【発明が解決しようとする課題】
【０００３】
この発明の第１の課題は、砂塵の激しい地域や多湿環境下においても、パイル材の目詰りが生じず、靴底や足裏等に付着した塵埃や水分を払拭する機能をできるだけ長く維持できるようにすることである。この発明の第２の課題は、パイル材に付着した塵埃等を容易に洗浄できるようにすることである。
【課題を解決するための手段】
【０００４】
上記の課題を解決するために、この発明は、基布と、この基布に植え込まれたパイルより成るパイル材において、前記基布に、メッシュ数が４／平方インチ〜３００／平方インチの範囲で単一空間の面積が約１ｍｍ２〜１００ｍｍ２の範囲のメッシュが目開き目形共にほぼ均一に形成され、前記パイルのステッチ列は前記メッシュの１〜４メッシュ列だけ間隔をあけて植え込まれている構成を採用したのである。
【０００５】
特に、前記メッシュの単一空間の面積が約４ｍｍ２〜２５ｍｍ２であることが好ましい。また、前記パイルのパイル糸は、ステッチが２〜１０／インチ、ゲージが２〜８／インチで植え込まれることが好ましく、さらにパイルを複数のパイル糸によって形成し、基布の裏面で互に接合し、かつ基布にも固着しておくのがよい。
【０００６】
前記基布には、合成樹脂を浸透させて弾力性を付与すると同時にメッシュ形状の保形性を高めるのがよく、また基布を形成する経緯糸の交絡部を互に固着しておくのが好ましい。
【発明の効果】
【０００７】
この発明によれば、上記のように、パイル材の基布のメッシュを比較的粗くしかつこの基布にパイルを間隔をあけて植え込んだので、比較的粒径の大きい砂塵でパイルに捕捉されないものや水滴なども、基布に堆積することなく透過するので、パイル材の払拭機能が劣化することはない。
【０００８】
また、洗剤等の流通性も良好であるため、塵埃等の付着物を容易に除去することができ、洗浄を効率的に行なうことができる。
【図面の簡単な説明】
【０００９】
【図１】この発明のマット用パイル材の一例を示す拡大縦断面図、
【図２】マット用パイル材の裏面図、
【図３】マット用パイル材の基布の組織を示す一部拡大平面図、
【図４】基布の組織の他の例を示す一部拡大平面図、
【図５】マット用パイル材の他の例を示す拡大縦断面図である。
【発明を実施するための形態】
【００１０】
以下、この発明の実施形態を添付図面に基づいて説明する。図１及び図２に示すように、マット用パイル材１は、基布２と、この基布２に植え込まれたパイル３より成る。基布２は、図３に示すような経編地組織や図４に示すような平織地組織の編織物が好適である。図３に示す編地は、鎖編糸を経糸２ａとし、これらの鎖編糸を繋ぐ挿入糸を緯糸２ｂとしている。図４に示す織地は、経糸２ｃと緯糸２ｄを交織した通常の平織地である。このような基布２は、図２に明らかなように、比較的粗くかつ目開き目形共にほぼ均一なメッシュ２ｅが経緯に整列するように編織されている。メッシュ２ｅは、４／平方インチ（２５．４ｍｍ）〜３００／平方インチの範囲が好ましく、特に２５／平方インチ〜２５０／平方インチの範囲が好ましい。またメッシュの単一空間（目開き）の面積は、約１ｍｍ２〜１００ｍｍ２、特に約４ｍｍ２〜２５ｍｍ２の範囲が好ましい。メッシュ２ｅの目形は、ほぼ正方形または長方形であるが、編織の方法によってはその他の多角形や円形または楕円形に近い形状を呈することができる。
【００１１】
この基布２には、ジュートや木綿等の天然繊維やポリエステル、ポリアミド、ポリプピレン等の合成繊維の１種または２種以上から成る撚糸または無撚糸が用いられる。繊度は３００〜５００００デニールの範囲が好ましい。さらに編織後に、アクリロニトリル−ブタジエンゴム（ＮＢＲ）、スチレン−ブタジエンゴム（ＳＢＲ）等の合成ゴム、エチレン−酢酸ビニル共重合体（ＥＶＡ）、ポリウレタン等の熱可塑性樹脂を塗布したり、これらの溶液に浸漬した後、乾燥固化しておくことができる。また、低融点合成樹脂例えばポリウレタンやＥＶＡ樹脂を、予め外面に塗布した弾力性の高い撚糸または無撚糸から成る網目状編織地を加熱して、経緯糸の交絡部を互に固着しておいてもよい。これらの処理によって、基布２の柔軟性を抑制し弾力性を向上させると同時に、メッシュ２ｅの形状を安定化し、均一性を維持することができる。
【００１２】
前記パイル糸３ａは、上記のような基布２の粗いメッシュ２ｅに適合しかつそれを有効に利用できるようなステッチ及びゲージを選択して植え込む必要がある。図１の左右方向、図２の縦方向に示すように、パイル糸３ａが緯糸２ｂに交絡するステッチは、２〜１０／インチが好ましい。そして、前述したメッシュ２ｅの大きさに応じて、１〜３本の緯糸２ｂにパイル糸３ａがまたがるように、このステッチ数を選択する。図１の場合は、１〜２本の緯糸２ｂに交絡してステッチされている。一方、横方向のステッチ列を表すゲージは、２〜８／インチが好ましい。そしてメッシュ２ｅからの砂塵の透過を良好にするため、隣接するステッチ列の間隔を適当に開いておくのがよい。この間隔Ｇは、縦方向（図２）に隣接するステッチ列間に１〜４のメッシュ列が現れるようにするのが好ましく、図２は、この間隔Ｇがメッシュ列で１列と２列の場合を示している。
【００１３】
前記パイル糸３ａとしては、木綿、羊毛等の天然繊維や、ポリエステル、ポリアミド、ポリプロピレン等の合成繊維の１種または２種以上から成る撚糸または無撚糸が用いられる。また複数本のパイル糸３ａを同時に植え込むことができる。トータルの繊度は３００〜２００００デニールである。このようなパイル糸３ａから成るパイル３は、カットパイルでもループパイルでもよい。図１はカットパイルを示している。パイル長も一定に限らず、異なった長さのパイルが混在していてもよい。
【００１４】
上記のようにパイル糸３ａを植え込んだ基布２の裏面からパイル糸３ａの列に沿ってローラ等で接着剤４（図５）を塗布することができる。これによってパイル糸３ａ相互及び基布２とパイル糸３ａを強固に接合し、パイル糸３ａの抜け落ちを防止することができる。接着剤４としては、アクリロニトリル−ブタジエンゴム（ＮＢＡ）、スチレン−ブタジエンゴム（ＳＢＲ）等の合成ゴムやエチレン−酢酸ビニル共重合体（ＥＶＡ）、ポリウレタン等の熱可塑性樹脂が用いられる。
【００１５】
この発明に係るマット用パイル材は、以上のように、比較的粗いメッシュの基布にパイル糸を植え込んだものであって、砂塵等の比較的粒子の粗い塵埃や水滴を透過するようになっているため目詰りが生じず、砂塵の多い地域や多湿環境下において使用されるダストコントロールマットや車輌内に敷かれるマットとして、或いはバスマットやキッチンマットとして、上記の構造のままで使用してもよく、さらに基布の裏面にゴムや不織布等からなるバッキングシートを固着または着脱自在に重ね合せて使用することができる。そのほか、バッキングシートと基布との間に、エアウイーブ（商品名）等の多孔質構造体を積層して砂塵等を捕捉し蓄積できるようにしておくことができる。
【符号の説明】
【００１６】
１  マット用パイル材
２  基布
２ａ、２ｃ  経糸
２ｂ、２ｄ  緯糸
２ｅ  メッシュ
３  パイル
３ａ  パイル糸
４  接着剤
Ｇ  ステッチ列間の間隔
【図１】
2018149247.tif 000003
【図２】
2018149247.tif 000004
【図３】
2018149247.tif 000005
【図４】
2018149247.tif 000006
【図５】
2018149247.tif 000007
【手続補正書】
【提出日】平成30年3月27日(2018.3.27)
【手続補正１】
【補正対象書類名】図面
【補正対象項目名】図３
【補正方法】変更
【補正の内容】
【図３】
2018149247.tif 000008